(57)【要約】【課題】ユーザの嗜好に適合した着信メロディを、より簡便に利用することができるようにする技術を提供する。【解決手段】オーディオ装置において、装置が音声信号を取得することができるコンテンツのうち、着信メロディ用に使用するものの選択を受け入れる選択手段（ステップ２２）と、選択手段により選択されたコンテンツに係る音声信号に基づき、着信メロディ用のファイルを作成する作成手段（ステップ２３）と、作成手段により作成された着信メロディ用ファイルを、特定の携帯電話に送信する送信手段（ステップ２６）とを設ける。送信手段はたとえば、作成手段により作成された着信メロディ用ファイルを添付ファイルとする電子メールを、携帯電話のメールアドレス宛に送信することにより、着信メロディ用ファイルを携帯電話に送信することができる。【選択図】図２
2007232783.tif 000002
【特許請求の範囲】
【請求項１】
装置が音声信号を取得することができるコンテンツのうち、着信メロディ用に使用するものの選択を受け入れる選択手段と、
前記選択手段により選択されたコンテンツに係る音声信号に基づき、着信メロディ用のファイルを作成する作成手段と、
前記作成手段により作成された着信メロディ用ファイルを、特定の携帯電話に送信する送信手段とを具備することを特徴とするオーディオ装置。
【請求項２】
前記送信手段は、前記作成手段により作成された着信メロディ用ファイルを添付ファイルとする電子メールを、前記携帯電話のメールアドレス宛に送信するものであることを特徴とする請求項１に記載のオーディオ装置。
【請求項３】
前記選択手段により選択されたコンテンツのうち、着信メロディ用に使用する部分の指定を受け入れる指定手段を有することを特徴とする請求項１又は２に記載のオーディオ装置。
【請求項４】
請求項１〜３のいずれかのオーディオ装置における各手段としてコンピュータを機能させることを特徴とする着信メロディ供給プログラム。
【請求項５】
オーディオ装置が、音声信号を取得することができるコンテンツのうち、着信メロディ用に使用するものの選択を受け入れる選択手順と、
オーディオ装置が、前記選択手順において選択されたコンテンツに係る音声信号に基づき、着信メロディ用のファイルを作成する作成手順と、
オーディオ装置が、前記作成手順において作成された着信メロディ用ファイルを、特定の携帯電話に送信する送信手順とを具備することを特徴とするオーディオ装置による着信メロディ供給方法。
【発明の詳細な説明】
【技術分野】
【０００１】
本発明は、着信メロディを作成し、携帯電話に供給する機能を有するオーディオ装置、着信メロディを作成し、携帯電話に供給する機能をオーディオ装置に実現させる着信メロディ供給プログラム、及びオーディオ装置により着信メロディを作成し、携帯電話に供給する着信メロディ供給方法に関する。
【背景技術】
【０００２】
従来、携帯電話において着信を知らせるための着信メロディとしては、コンテンツ配信会社から有料で配信されるものを、携帯電話でダウンロードして利用するものが主流となっている。図５は携帯電話による着信メロディ用のデータをダウンロードする概念を示す概念図である。図中の５１は着信メロディ用のデータを提供するＷｅｂサイト、５２はＷｅｂサイト５１が接続されたインターネット網、５３はインターネット網５２を介してＷｅｂサイト５１にアクセスすることが可能な携帯電話である。
【０００３】
携帯電話５３はインターネットプロバイダが提供する、携帯電話網上のアクセスポイントを介してインターネット網５２に接続し、Ｗｅｂサイト５１から着信メロディ用データをダウンロードすることができる。
【０００４】
着信メロディに関連する技術としてはこの他、携帯電話において、マイクロホン等からのアナログ音声信号をＡ／Ｄ変換し、これに周波数分析を施して所定の音階データと比較することによりエンコードを行って着信メロディを作成する技術が知られている（たとえば特許文献１参照）。また、発信者側の携帯電話が送信するＷＡＶファイル形式の着信音データを、受信側の携帯電話が受信し、これを着信メロディとして使用するようにした技術が知られている（たとえば特許文献２参照）。
【０００５】
また、マイクやＣＤプレーヤから入力された音声信号に基づき、自動採譜処理技術により音高及び音価からなる楽音情報を生成して記憶しておき、着信時に、楽音情報を読み出して、その内容に応じた音声信号を音源部において生成し、着信メロディとして出力するようにした電話装置が知られている（たとえば特許文献３参照）。
【０００６】
また、ＣＤやＭＤ等のデジタル音源の装置から出力されたデジタル信号をメモリに格納し、格納されているデジタル信号を読み出して周波数分析を行い、これを音階データと比較することにより音高及び音長を決定して着信メロディ用データを作成する機能を有する携帯電話装置が知られている（たとえば特許文献４参照）。
【０００７】
さらに、電子楽器等に用いられるＳＭＦ（スタンダード・ミディ・フォーマット）方式のファイルを、携帯電話の着信メロディ等に用いられるＳＭＡＦ（シンセティック・ミュージック・モバイル・アプリケーション・フォーマット）方式に変換する方法が知られている（たとえば特許文献５参照）。
【０００８】
【特許文献１】特開２０００−３３２８６２号公報
【特許文献２】特開２０００−３４９８６３号公報
【特許文献３】特開２００１−０４５１０３号公報
【特許文献４】特開２００１−１４４８３４号公報
【特許文献５】特開２００４−１０１６１９号公報
【発明の開示】
【発明が解決しようとする課題】
【０００９】
しかしながら、上述の図５で示されるような、コンテンツ配信会社から着信メロディを配信する方法によれば、配信される着信メロディは、広く一般大衆に知られたメロディである場合が多いので、必ずしもユーザの好みを十分に反映することはできない。
【００１０】
一方、携帯電話において、マイクやＣＤからの音声信号に基づき、着信メロディ用データを作成し、利用する上述の技術によれば、携帯電話の機能が複雑になる。また、携帯電話等を買い換えた場合、作成した着信メロディ用データを利用することができなくなるという問題もある。
【００１１】
本発明の目的は、このような従来技術の問題点に鑑み、ユーザの嗜好に適合した着信メロディを、より簡便に利用することができるようにする技術を提供することにある。
【課題を解決するための手段】
【００１２】
上記目的を達成するため、第１の発明に係るオーディオ装置は、装置が音声信号を取得することができるコンテンツのうち、着信メロディ用に使用するものの選択を受け入れる選択手段と、前記選択手段により選択されたコンテンツに係る音声信号に基づき、着信メロディ用のファイルを作成する作成手段と、前記作成手段により作成された着信メロディ用ファイルを、特定の携帯電話に送信する送信手段とを具備することを特徴とする。
【００１３】
ここで、コンテンツとしては、たとえば、オーディオ装置に装填されたＣＤのいずれかのトラックに記録されている楽曲や、装置のハードディスクにおいて所定形式の楽音ファイルとして記憶されているコンテンツ、マイクを介して入力される音声信号により形成されるコンテンツが該当する。要するに、オーディオ装置が音声信号を取得することができるコンテンツであればよい。
【００１４】
着信メロディ用のファイルを作成する作成手段としては、いわゆる自動採譜処理技術を用いて音高や音長で構成されるデータファイルを作成したり、ＭＩＤＩ形式のファイルを作成したりするものや、ＷＡＶ形式の音楽ファイルに基づいてＳＭＡＦ形式のファイルを作成するものが該当する。要するに、着信メロディ用ファイルを送信する携帯端末装置において着信メロディとして再生することができる形式の着信メロディ用ファイルを作成するものであればよい。
【００１５】
携帯電話とは広義の携帯電話を意味し、携帯電話には、ＰＨＳ（パーソナル・ハンディホーン・システム）等が含まれる。また、特定の携帯電話とは、たとえば、オーディオ装置の所有者が所有する携帯電話が該当する。送信手段としては、たとえば、ＵＳＢインタフェース及びＵＳＢケーブルを介して送信を行うものや、電子メールにより添付ファイルとして送信するものが該当する。送信方法は、有線であるか無線であるかを問わない。
【００１６】
この構成において、選択手段が着信メロディの作成に使用するコンテンツの選択を受け入れると、作成手段は選択されたコンテンツに係る音声信号に基づき、着信メロディ用ファイルの作成を行う。その際、作成手段は、たとえば、選択されたコンテンツがＣＤに記録されている楽曲であれば、その楽曲のトラックの再生を行って得られる最初の所定部分に基づき、着信メロディ用ファイルを作成することができる。着信メロディ用ファイルが作成されると、送信手段は着信メロディ用ファイルを所定の携帯電話に送信する。携帯電話は、これを受信し、保管しておくことにより、着信時に着信メロディとして再生することができる。
【００１７】
第２の発明に係るオーディオ装置は、第１発明において、前記送信手段は、前記作成手段により作成された着信メロディ用ファイルを添付ファイルとする電子メールを、前記携帯電話のメールアドレス宛に送信するものであることを特徴とする。
【００１８】
第３の発明に係るオーディオ装置は、第１又は第２発明において、前記選択手段により選択されたコンテンツのうち、着信メロディ用に使用する部分の指定を受け入れる指定手段を有することを特徴とする。
【００１９】
第４の発明に係る着信メロディ供給プログラムは、第１〜第３のいずれかの発明に係るオーディオ装置における各手段としてコンピュータを機能させることを特徴とする。
【００２０】
第５の発明に係る着信メロディ供給方法は、オーディオ装置が、音声信号を取得することができるコンテンツのうち、着信メロディ用に使用するものの選択を受け入れる選択手順と、オーディオ装置が、前記選択手順において選択されたコンテンツに係る音声信号に基づき、着信メロディ用のファイルを作成する作成手順と、オーディオ装置が、前記作成手順において作成された着信メロディ用ファイルを、特定の携帯電話に送信する送信手順とを具備することを特徴とする。
【発明の効果】
【００２１】
本発明によれば、オーディオ装置により着信メロディ用ファイルを作成し、携帯電話に転送するようにしたため、オーディオ装置において得られる種々の音声信号を利用して着信メロディ用ファイルを作成し、携帯電話において利用することができる。したがって、配給会社からの配給によっては入手できない着信メロディを作成し、利用することができる。またこの場合、携帯電話は着信メロディの作成機能を自ら備える必要はないので、簡便な構成により、ユーザの好みを反映した着信メロディの供給を受けることができる。
【００２２】
また、選択されたコンテンツのうち、着信メロディの作成に使用する部分を指定することができるようにしたため、楽曲の寂（さび）部分のみや、好みの部分のみを着信メロディに使用することができるので、さらにユーザの好みを反映することができる。
【００２３】
また、オーディオ装置において着信メロディ用ファイルの作成を行うようにしたため、パソコンを使い慣れていないユーザでも、各種音声信号源からの音声信号に基づく着信メロディの作成を行うことができる。また、パソコンでは容易には利用できない、ＦＭ放送やＭＤ（ミニディスク）に基づく音声信号を利用して着信メロディ用ファイルを作成することもできる。
【００２４】
また、着信メール用ファイルの送信を、電子メールを利用して行うようにしたため、携帯電話が通常有する電子メール機能を利用し、携帯電話に対し、着信メール用ファイルの送信を簡便に行うことができる。
【発明を実施するための最良の形態】
【００２５】
図１は本発明の一実施形態に係るオーディオ機器により、着信メロディ用のファイルを供給する様子を示すブロック図である。図中の１１は着信メロディ用ファイルを生成し、供給するオーディオ機器、１２はオーディオ機器１１が接続するインターネット網、１３はインターネット網１２を介してオーディオ機器１１から着信メロディ用ファイルの供給を受ける携帯電話である。
【００２６】
オーディオ機器１１は、自己がアナログ音声信号やデジタル音声信号を取得することができるコンテンツのうち、着信メロディ用に使用するものの選択を受入れ、選択されたコンテンツに係る音声信号に基づいて、携帯電話１３が対応している着信メロディ用のファイルを作成する機能を備える。また、作成したファイルをメールに添付し、予め登録されているメールアドレスに宛てて送信することにより、携帯電話１３に対し、作成した着信メロディ用ファイルを供給する機能を備える。
【００２７】
着信メロディ用ファイルの基礎となるコンテンツとしては、たとえば、オーディオ機器１１に装着されているＣＤ（コンパクトディスク）やＭＤ（ミニディスク）に記録されているコンテンツ、オーディオ機器１１によりＦＭ放送を受信して聴取することができる放送コンテンツ、マイクを介してオーディオ機器１１に入力される音声信号によるコンテンツ、オーディオ機器１１が有するハードディスクにおいて所定形式のファイルとして記憶されているコンテンツ等が該当する。このようなコンテンツのうちたとえば、最初から又は指定された箇所から所定時間分、あるいは指定された時間分が、着信メロディ用ファイルの作成に使用される。
【００２８】
オーディオ機器１１は種々の形式の着信メロディ用ファイルを作成する機能を有する。そのうちの１つの形式は、携帯電話１３が着信メロディとして再生することができるものとなっている。このようなファイル形式として、たとえば、ＭＩＤＩ形式やＳＭＡＦ形式が該当する。予め携帯電話１３が対応しているファイル形式が選定されており、着信メロディ用ファイルの作成に際しては、選定された形式の着信メロディ用ファイルが作成される。携帯電話１３はインターネット網１２を介して自己のメールアドレスに送られてくるメールを受信する機能や、所定形式の着信メロディ用ファイルに基づき、着信時に着信メロディを再生する機能を備える。
【００２９】
図２は、オーディオ機器１１における着信メロディ供給処理を示すフローチャートである。この処理は所定のプログラムに従って行われる。オーディオ機器１１は、着信メロディ供給処理を開始すると、まず、ステップ２１において、着信メロディ用データの作成開始の指示を待つ。作成開始の指示を受けると、ステップ２２へ進み、着信メロディ用データの基礎となるコンテンツの選択を受け入れる。
【００３０】
選択対象となるコンテンツとしては、たとえば、オーディオ機器１１に装填されているＣＤやＭＤ中の楽曲のほか、オーディオ機器１１により受信中のＦＭ放送によるものやマイクからのアナログ信号により構成されるものが該当する。ＦＭ放送によるコンテンツを選択する場合、予め選局され、かつ対象とする範囲が指示されている必要がある。その範囲のコンテンツの楽音が記憶され、着信メロディ用ファイルの作成に使用されることになる。
【００３１】
次に、ステップ２３において、選択されたコンテンツに基づき、着信メロディ用ファイルの作成を行う。このとき、選択されたコンテンツの最初から所定時間分の音声信号が、着信メロディ用ファイルの作成に使用される。あるいは、選択されたコンテンツのうち、指定された範囲を使用するようにしてもよい。その場合の範囲指定は、コンテンツの楽音波形を表示させ、範囲をカーソル等により指定させたり、コンテンツの楽音をスピーカから出力させて、所望の範囲をキーの押下等によるタイミングで指示させたりすることにより、受け入れることができる。あるいは、着信メロディ用ファイルの作成に使用する部分の長さを時間により指定させ、コンテンツの最初又は指定された時点から、指定された時間分を使用するようにしてもよい。
【００３２】
このようにして、選択されたコンテンツのうちの対象となる部分の音声信号に基づいて着信メロディ用ファイルの作成が行われる。作成は、使用する音声信号部分を、携帯電話１３が着信メロディとして再生することができるＳＭＡＦ形式のファイルやＭＩＤＩ形式のファイルに変換することにより行われる。
【００３３】
より具体的には、コンテンツを構成するデジタル音声信号やアナログ音声信号に基づいて着信メロディ用ファイルの作成が行われる。たとえば、ＷＡＶ形式のコンテンツのデータから着信メロディ用ファイルへの変換を行ったり、コンテンツのデータを一旦、ＭＩＤＩ形式のデータに変換してからさらに着信メロディ用ファイルへの変換を行ったり、アナログ音声信号に基づいて着信メロディ用ファイルを生成したりすることにより、着信メロディ用ファイルの作成が行われる。また、携帯電話１３がＷＡＶ形式の着信メロディ用ファイルに対応している場合には、選択されたコンテンツがＷＡＶ形式のファイルのものであれば、ＷＡＶ形式のまま、着信メロディに使用する部分を抽出して、着信メロディ用ファイルとすることができる。
【００３４】
着信メロディ用データの作成が完了すると、インターネット網１２への接続動作を開始し、ステップ２４及び２５において、インターネット網１２への接続が完了するのを待機する。所定時間内にインターネット網１２への接続が完了しなかった場合には、ステップ２５においてこれを検出し、着信メロディ供給処理を終了する。この場合、ユーザの指示に応じ、作成した着信メロディ用データを保存しておき、後ほど使用したり、送信できるようにしたりしてもよい。
【００３５】
所定時間内にインターネット網１２への接続が完了した場合には、ステップ２４からステップ２６へ進み、予め登録されている携帯電話１３のメールアドレスを宛先としてメールデータを作成し、作成した着信メロディ用ファイルを添付ファイルとして送信する。この後、着信メロディ供給処理を終了する。送信されたメールは携帯電話１３によって受信され、その添付ファイルは、着信メロディ用のファイルとして用いられることになる。
【００３６】
本実施形態によれば、オーディオ機器１１において取得することができるアナログ及びデジタルの種々の音声信号に基づいて着信メロディ用データを作成し、携帯電話１３に対して供給することができる。したがって、個々のユーザの好みを反映した着信メロディを携帯電話１３において享受することができる。
【００３７】
また、着信メロディ用ファイルの作成に際し、選択されたコンテンツのうちの作成に使用する範囲を指定できるようにすることによって、選択したコンテンツのうちの寂（さび）の部分のみや好みの部分のみを着信メロディに使用するといったことが可能となる。これにより、オリジナリティのある着信メロディの作成を行うことができる。また、オーディオ機器１１のハードディスク等に蓄積されている非圧縮の音楽データや、圧縮された音楽ファイルのコンテンツを着信メロディとして活用することができる。
【００３８】
図３は本発明の他の実施形態に係るオーディオ機器により、着信メロディ用のファイルを供給する様子を示すブロック図である。図中の３１は着信メロディ用ファイルを生成して供給するオーディオ機器、３２はオーディオ機器１１から着信メロディ用ファイルの供給を受ける携帯電話である。
【００３９】
オーディオ機器３１は図１のオーディオ機器１１と同様の着信メロディ用ファイルの作成機能を備える。携帯電話３２は図１の携帯電話１３と同様の、着信メロディの再生機能を備える。オーディオ機器３１及び携帯電話３２はＵＳＢインタフェースを備え、ＵＳＢケーブルを介して相互に通信を行うことができる。
【００４０】
図４は、オーディオ機器３１における着信メロディ供給処理を示すフローチャートである。この処理は所定のプログラムに従って行われる。ステップ４１〜４３の処理は、図２におけるステップ２１〜２３の処理と同じである。すなわち本実施例の場合、オーディオ機器３１はインターネット網に接続する必要がないので、ステップ４３における着信メロディ用ファイルの作成処理を完了すると、直ちにステップ４４において、得られた着信メロディ用ファイルを、ＵＳＢインタフェース及びＵＳＢケーブルを介して、携帯電話３２に送信する。送信された着信メロディ用ファイルは、携帯電話３２によって受信され、着信時における着信メロディの再生に使用されることになる。
【００４１】
本実施形態によれば、オーディオ機器３１は、インターネットへの接続機能を備えていなくても、着信メロディ用ファイルを携帯電話３２に供給することができる。したがって図１におけるオーディオ機器の場合と同様の効果を、より簡便に得ることができる。
【図面の簡単な説明】
【００４２】
【図１】本発明の一実施形態に係るオーディオ機器により、着信メロディ用のファイルを供給する様子を示すブロック図である。
【図２】図１中のオーディオ機器における着信メロディ供給処理を示すフローチャートである。
【図３】本発明の他の実施形態に係るオーディオ機器により、着信メロディ用のファイルを供給する様子を示すブロック図である。
【図４】図３中のオーディオ機器における着信メロディ供給処理を示すフローチャートである。
【図５】従来技術に係る携帯電話による着信メロディ用のデータをダウンロードする概念を示す概念図である。
【符号の説明】
【００４３】
１１，３１：オーディオ機器、１２，５２：インターネット網、１３，３２，５３：携帯電話、５１：Ｗｅｂサイト。
【図１】
2007232783.tif 000003
【図２】
2007232783.tif 000004
【図３】
2007232783.tif 000005
【図４】
2007232783.tif 000006
【図５】
2007232783.tif 000007